(57)【要約】【課題】低いコストで基板の識別コードの認識精度を向上できるようにする。【解決手段】検査対象の基板の搬入時に、その基板の識別コードがエンコードされた２次元コードを読み取る処理に失敗したとき、その読取に使用された画像を表示パネルに表示する。また同じ画面上に、２次元コードの再読取処理の方法について、３つの選択肢を表示して、ユーザーの選択を受け付ける。選択肢のうち「画像修正」が選択された場合は、表示された画像を修正する操作を受け付け、修正後の画像を用いて検査装置内で再度の読取処理を実行する。一方、「画像を読み取り」または「実物を読み取り」が選択された場合には、装置に接続された２次元コードリーダからのコード入力を受け付け、入力されたコードを基板の識別データとして認識する。【選択図】図４
2008064631.tif 000002
【特許請求の範囲】
【請求項１】
検査対象の基板を支持するための基板ステージと、この基板ステージの上方に配置された照明部および撮像部と、撮像部により生成された画像を表示するための表示部とを具備し、撮像部により生成された画像を用いて前記基板上の被検査部位の良否を検査する検査手段と、検査に先立ち、前記基板の所定位置に付された光学情報コードが示す基板の識別コードを認識するコード認識手段と、前記検査の結果をコード認識手段が認識した識別コードに対応づけて出力する結果出力手段とを具備する基板外観検査装置において、
装置本体の外周面には、手持ち式の光学情報コードの読取装置を前記処理部に接続するためのコネクタが設けられており、
前記コード認識手段は、
前記撮像部に光学情報コードを撮像させる処理と、この撮像により生成された画像を用いて前記光学情報コードを読み取る処理とを実行して、読み取ったコードを基板の識別コードとして認識する一方、光学情報コードの読取に失敗したとき、前記撮像により生成された画像を表示部に表示して、前記読取装置からのコード入力および表示部に表示された画像に対する修正操作を受け付けられる状態となり、この状態下で読取装置からコードが入力されたとき、入力されたコードを前記基板の識別コードとして認識し、前記画像に対する修正操作が行われたとき、修正後の画像を用いて識別コードの読取処理を再度実行する、基板外観検査装置。
【請求項２】
前記読取装置は、そのコードの読取面が前記表示部の画面および基板ステージの双方に届く長さのケーブルを介して前記接続用端子に接続される請求項１に記載された基板外観検査装置。
【請求項３】
請求項１または２のいずれかに記載された基板外観検査装置であって、
前記コード認識手段に前記識別コードを手入力するための操作部をさらに備え、
前記コード認識手段は、前記識別コードの読取に失敗して前記表示部に画像を表示したとき、さらに前記操作部からのコード入力を受け付けられる状態となり、この操作部から入力されたコードを識別コードとして認識する基板外観検査装置。
【発明の詳細な説明】
【技術分野】
【０００１】
この発明は、部品実装基板の製造に係る所定の工程（はんだ印刷工程、部品実装工程、リフロー工程など）を経た基板を所定の照明下で撮像し、生成された画像を用いて前段の工程で基板に付加された構成（クリームはんだ、部品、はんだのフィレットなど）を検査する基板外観検査装置に関する。
【背景技術】
【０００２】
この種の基板外観検査装置（以下、単に「検査装置」という場合もある。）は、一般に、基板製造ラインに組み込まれ、前段の工程からコンベアにより搬送されてくる基板を順に取り込んで検査を実行し、１枚の基板の検査を終了する都度、その検査結果を出力するようにしている。
【０００３】
特に検査対象の基板を特定する必要がある場合には、各基板にそれぞれ固有の識別コードを付与し、そのコードと検査結果とを対応づけて管理するようにしている。この場合、各基板には、上記の識別コードを表すバーコードや２次元コードがマーキングされ、検査に先立ち、撮像部によりこのコードが撮像され、生成された画像を用いた識別コードの読取処理が行われる（特許文献１  段落００４４，００４５，００５０，００９５参照。）
【０００４】
【特許文献１】特開２００５−２８６３０９号公報
【発明の開示】
【発明が解決しようとする課題】
【０００５】
しかし、検査装置における光学系は、被検査部位の検出を目的に最適化されているので、光学情報コードの読取に適した条件で撮像が行われず、そのためにコードの読取に失敗する場合がある。たとえば、リフロー工程後の検査装置の光学系は、はんだのフィレットからの正反射光を撮像するように構成されている（特許文献２参照）が、基板面は一般に鏡面反射性が低いので、光学情報コードの鏡面反射性も低いと、基板面とコードとの区別がつきにくい画像が生成され、コードの検出やデコードの際に誤りが生じる可能性がある。また、コードのマーキング位置のずれや基板の搬送状態の不備などによって、コードの全体像が生成されないために、読取処理が不可能になる場合もある。
【０００６】
【特許文献２】特公平６−１１７３号公報
【０００７】
上記の問題を解決する方法として、まず考えられるのは、検査装置内または装置より若干上流に、光学情報コード用の読取装置（一般に「コードリーダ」と呼ばれるもの）を配置する方法である。しかし、前出の特許文献１のように、工程毎に検査装置を設ける場合に、各検査装置に１台ずつ読取装置を設けると、その分だけコストも増大する。検査装置で生成した画像によるコードの読取に失敗する比率や、読取に失敗しても画像の補正により対応可能な場合がある点を考えると、検査装置毎に読取装置を導入するのは不経済である。しかし、画像を修正するのは困難であるが、光学情報コード専用の読取装置があれば、簡単にコードを読み取ることができるケースがあるのも事実である。
【０００８】
この発明は、上記の諸事情を考慮してなされたもので、少ないコストで基板の識別コードの読取精度を向上し、検査装置の利便性を高めることを、目的とする。
【課題を解決するための手段】
【０００９】
この発明に係る基板外観検査装置は、検査対象の基板を支持するための基板ステージと、この基板ステージの上方に配置された照明部および撮像部と、撮像部により生成された画像を表示するための表示部とを具備し、撮像部により生成された画像を用いて前記基板上の被検査部位の良否を検査する検査手段と、検査に先立ち、基板の所定位置に付された光学情報コードが示す基板の識別コードを認識するコード認識手段と、検査の結果をコード認識手段が認識した識別コードに対応づけて出力する結果出力手段とを具備するもので、装置本体の外周面に、手持ち式の光学情報コードの読取装置を前記処理部に接続するためのコネクタが設けられている。
【００１０】
コード認識手段は、撮像部に光学情報コードを撮像させる処理と、この撮像により生成された画像を用いて前記光学情報コードを読み取る処理とを実行し、読み取ったコードを基板の識別コードとして認識する。一方、光学情報コードの読取に失敗したときは、コード認識手段は、撮像により生成された画像を表示部に表示して、前記読取装置からのコード入力および表示部に表示された画像に対する修正操作を受け付けられる状態となる。さらにこの状態下で読取装置からコードが入力されたときは、入力されたコードを基板の識別コードとして認識し、画像に対する修正操作が行われたときは、修正後の画像を用いて光学情報コードの読取処理を再度実行する。
【００１１】
撮像部により生成された画像に光学情報コードの全体像が含まれている場合には、読取に失敗しても、画像の明るさを調整したり、コード周囲のマージンを確保するなど、比較的簡単な修正作業を行うことにより、読取が可能になることがある。上記の構成によれば、光学情報コードの読取に失敗した場合には、その読取用に生成された画像が表示部に表示されるので、ユーザーは、この画面上で、読取可能な画像に容易に修正できるかどうかを判断することができる。ここで修正が容易にできると判断すれば、ユーザーは画像に対する修正操作を行い、検査装置に、光学情報コードの再度の読取処理を行わせる。一方、ユーザーが画像を簡単に修正できないと判断した場合には、コネクタに手持ち式の読取装置を接続し、その読取装置を用いて光学情報コードの読取処理を実行する。
【００１２】
このように、検査装置で生成された画像の状態によって対応方法を切り替えることができるから、識別コードの認識処理を、より効率良く、確実に行うことができる。また手持ち式の読取装置であれば、適宜接続することができ、持ち運びも容易であるから、１台の読取装置を複数の検査装置で共用することが可能であり、読取装置の導入によるコストを低くすることができる。
【００１３】
読取装置は、そのコードの読取面が前記表示部の画面および基板ステージの双方に届く長さのケーブルを介して前記接続用端子に接続されるのが望ましい。このようにすれば、読取装置に実際の光学情報コードを読み取らせるだけでなく、表示部の画面に表示された光学情報コードを読み取らせることができる。読取装置は、光学情報コードの読取に適した照明部を具備しており、また照明条件の切替などの処理によって、コードの読取に適した画像を生成することができるから、読取対象のコードが多少不鮮明であっても、コードの全体像が生成されていれば、読取が可能になることが多いと考えられる。また、一般に、基板ステージは検査装置の内部に設けられるので、基板上のコードに対する読取を行うには、装置を開放する等の手間がかかるが、表示画面上のコードを読み取る場合の処理は、きわめて簡単である。
【００１４】
さらに、好ましい態様の基板外観検査装置は、コード認識手段に前記識別コードを手入力するための操作部を具備する。この場合のコード認識手段は、識別コードの読取に失敗して前記表示部に画像を表示したとき、さらに前記操作部からのコード入力を受け付けられる状態となり、この操作部から入力されたコードを識別コードとして認識する。
【００１５】
上記の態様によれば、バーコードのように、光学情報コードの近傍に識別コードの内容を示す文字列が表記されている場合には、ユーザーは、表示部の画面に表示された文字列を確認して、操作部から識別コードを手入力することができる。
【発明の効果】
【００１６】
上記構成の基板外観検査装置によれば、識別コードを示す光学情報コードの読取に失敗した場合、ユーザーは、読取処理に用いた画像の表示画面から、この画像を修正する方法または外付けの読取装置を用いる方法のいずれが適切であるかを判断し、その適切と判断した方法を実行することができるので、基板の識別コードを認識する処理を効率良く行うことが可能になる。また、光学情報コードの読取装置を常に接続しなくとも、手持ち式の読取装置を適宜接続する方法で対応できるから、低いコストで識別コードの認識精度を向上することができ、検査装置の利便性を高めることが可能になる。
【発明を実施するための最良の形態】
【００１７】
図１は、この発明が適用された基板外観検査装置の外観を示す。
この基板外観検査装置１（以下、単に「検査装置１」という。）は、部品実装工程またはリフロー工程を経た基板を処理対象として、各部品の実装状態やはんだのフィレットなどの検査を行うものである。装置本体１０の上半分には、基板を支持して撮像を行うための空間（図示せず。以下、「撮像空間」という。）が設けられる。また、撮像空間の前方にあたる位置には扉部１７が設けられ、その前面に表示パネル１４や複数のスイッチ１５が設けられる。また、扉部１７の下方には、後記する２次元コードリーダを接続するためのコネクタ１６が設けられている。
【００１８】
装置本体１０の一側面には、検査対象の基板を撮像空間に取り込むための搬入口（図示せず。）が設けられ、他方の側面には、検査の終了した基板を搬出するための搬出口（図示せず。）が設けられる。また、装置本体１０内の適所には、後記するコントローラ１００を構成する回路基板が組み込まれる。
【００１９】
図２は、上記検査装置１の光学系の構成および電気的構成を示す。
この検査装置１の撮像空間には、カメラ１１、照明部１２、および基板ステージ１３が配備される。基板ステージ１３には、検査対象の基板Ｓを支持するためのテーブル部１３１や、Ｘ軸ステージおよびＹ軸ステージ（いずれも図示せず。）を含む移動機構１３２などが含まれる。
【００２０】
カメラ１１および照明部１２は、「カラーハイライト方式」と呼ばれる光学系を構成する。カメラ１１はカラー静止画像を生成するもので、基板ステージ１３の上方に撮像面を下方に向け、かつ光軸を鉛直方向に合わせた状態で配備される。照明部１２は、基板ステージ１３とカメラ１１との間に配置された３個の円環状光源１２Ｒ，１２Ｇ，１２Ｂにより構成される。これらの光源１２Ｒ，１２Ｇ，１２Ｂは、それぞれ、赤色、緑色、青色の色彩光を発するもので、各中心部をカメラ１１の光軸に位置合わせした状態で配備されている。また、各光源１２Ｒ，１２Ｇ，１２Ｂは、基板Ｓに対しそれぞれ異なる方向から光を照射できるように、互いに異なる大きさの径を有するように設定される。
【００２１】
上記のカメラ１１、照明部１２、基板ステージ１３を制御するコントローラ１００は、コンピュータによる制御部１０１のほか、画像入力部１０２、撮像制御部１０３、照明制御部１０４、ＸＹステージ制御部１０５、メモリ１０６、ＣＤ−ＲＯＭドライブ１０７、通信用インターフェース１０８、コード入力部１０９などが設けられる。
【００２２】
このほか、制御部１０１には、図１に示した表示パネル１４や入力部１６が接続される。入力部１６には、図１に示したスイッチ１５のほか、図示しないキーボードやマウスなどが含まれる。
【００２３】
画像入力部１０２には、カメラ１１に対するインターフェース回路などが含まれる。撮像制御部１０３は、カメラ１１に対し、撮像を指示するタイミング信号を出力するためのものである。
【００２４】
照明制御部１０４は、前記照明部１２の各光源１２Ｒ，１２Ｇ，１２Ｂの点灯・消灯動作の制御や光量の調整などを行う。ＸＹステージ制御部１０５は、基板ステージ１３の移動タイミングや移動量を制御する。
【００２５】
メモリ１０６には、各被検査部位の検査に用いられるプログラムや検査基準データなどが格納される。制御部１０１は、これらのプログラムや検査基準データを用いて、検査に関する一連の処理を実行する。大まかに説明すると、基板ステージ１３の移動を制御することにより、カメラ１１の視野を基板Ｓの複数位置に順に合わせながらカメラ１１に撮像を行わせる。さらに生成された各画像に検査領域を設定して、被検査部位の検出、位置や面積などの計測、計測値の適否判定などの処理を実行する。
【００２６】
また、この検査装置１により検査される基板Ｓの所定位置には、その基板Ｓの識別コードがエンコードされた２次元コードが付されている（たとえば、レーザーや刻印処理などにより基板Ｓに直接マーキングされる。）。制御部１０１は、基板ステージ１３に基板Ｓが搬入されると、まず２次元コードのマーキング位置にカメラ１１を合わせて撮像を行い、生成された画像を用いて２次元コードの読取処理を実行し、読み取ったコードを識別コードとして認識する。また、一連の検査が終了すると、検査結果をまとめたデータファイル（以下、「検査結果データファイル」という。）を作成するが、このファイルに、２次元コードから読み取った識別コードを含むファイル名を付与する。
【００２７】
装置本体１０の前面に設けられたコネクタ１６は、手持ち式の２次元コードリーダを接続するためのものである。コード入力部１０９は、この２次元コードリーダが読み取って出力したコードを取り込んで、制御部１０１に入力するためのインターフェース回路である。
【００２８】
図３は、上記の検査装置１に接続される２次元コードリーダ２の外観を示す。この２次元コードリーダ２は、前面の上半分にコードの読取面２１が設けられ、その下方に握り部２２が設けられた構成のものである。また、この２次元コードリーダ２の側面には、読取開始を指示するための操作ボタン２３が設けられている。
【００２９】
この２次元コードリーダ２の内部構成については、図示しないが、照明用の光源、撮像素子、制御基板などの既知の構成が組み込まれる。また、装置本体の底面からは、この制御基板からの出力信号ラインを含むケーブル２４が引き出されている。さらに、このケーブル２４の先端部には、検査装置側のコネクタに適合するコネクタ（図示せず。）が取り付けられている。また、このケーブル２４は、読取面２１が検査装置１の内部の基板ステージ１３にまで十分に届く長さに設定される。
【００３０】
この実施例の検査装置１では、装置内の２次元コードの読取に失敗したとき、２次元コードの再読取処理を行うようにしている。この再読取処理は、上記の２次元コードリーダ２を用いて行うほか、失敗した読取処理に使用された画像を修正し、その修正後の画像を検査装置側で再度処理する方法により行うこともできる。この実施例では、読取に使用された画像を表示パネル１４に表示するとともに、この表示画面上で、再読取の方法を選択する操作を受け付けるようにしている。
【００３１】
図４（１）〜（３）は、表示パネル１４に表示される画面の例を示す。この画面３０の左側には、画像表示用のウィンドウ３１が設定され、その内部に、読取に使用された２次元コードの画像が表示される。この画像は、カメラ１１により生成された画像から、２次元コードの読取のために切り出されたものである。この切り出し対象の領域はあらかじめ定められたものである。
【００３２】
さらに、画面３０の右下には、再読取の方法を示す３つの選択肢が表示されている。また、現在選択されている選択肢が枠３３で囲まれるとともに、選択位置を示すマウスカーソル３２が表示されている。ユーザーは、このマウスカーソル３２を枠３３に合わせてクリック操作を行うことにより、選択肢の選択を確定することができる。
【００３３】
３つの選択肢のうちの「画像修正」は、ユーザーが読取に使用された画像を修正し、その修正後の画像を用いて、検査装置側で再度の読取処理を行う方法を選択するためのものである。「画像を読み取り」「実物を読み取り」は、いずれも２次元コードリーダ２による読取処理を行う方法を選択するためのものであるが、読取の対象が異なる。
【００３４】
「画像を読み取り」では、ウィンドウ３１内の２次元コードの画像を読取の対象とする。一方、「実物を読み取り」は、基板Ｓにマーキングされている実際の２次元コードを読取対象とする。
【００３５】
図４（１）は、「画像修正」が選択される例を示す。この例の画像では、２次元コード自体は明瞭であるが、その周囲の一部に影が生じている。画像中の２次元コードを認識するには、コードの周囲に所定幅のマージンが必要であるため、上記のような影があるとマージンが確保できず、コードを認識できなくなる。しかし、この影を削除する修正を行えば、コードを認識することが可能になり、読取処理を問題なく実行できるものと考えられる。
【００３６】
図４（２）は、「画像を読み取り」が選択される例を示す。この例の画像には２次元コードの全体像が含まれているが、コードに適した照明がなされなかった等の理由により、２次元コードが不鮮明になっている。しかし、２次元コードリーダ２は、コードの読取に適した画像が生成されるまで照明条件を調整するなど、２次元コードの読取について高度の機能を具備するので、上記のような画像でも、読取に適した画像を生成して、コードを読み取ることが可能である。
【００３７】
なお、この図４（２）の画像については、「画像修正」を選択し、画像の明るさを調整する処理を行うことも可能であるが、この種の調整は試行錯誤で行われることが多く、１度の調整で読取に適した画像を得るのは困難である。よって、この場合には、「画像を読み取り」を選択した方が効率が良く、検査に速やかに移行できる可能性が高いと思われる。ただし、画像の修正後も２次元コードリーダ２による読取を行う前に画像の明るさを調整した方が良い場合もあるので、この実施例では、「画像修正」を選択した後に、修正後の画像により再読取を行う方法と、修正後の画像を２次元コードリーダ２で読み取る方法とを選択できるようにしている。
【００３８】
図４（３）は、「実物を読み取り」が選択される例を示す。この例では、２次元コードの全体像が生成されていないため、「画像修正」や「画像を読み取り」では対応できず、２次元コードを再度撮像する必要がある。
【００３９】
上記の例において、「実物を読み取り」の選択が確定すると、扉部１７のロックが外れ、開放可能な状態となる。したがって、ユーザーは、扉部１７を開放して、基板ステージ１３上の基板Ｓまで２次元コードリーダ２を移動させ、２次元コードの読取操作を実行することができる。
【００４０】
ただし、画面３０のウィンドウ３１に表示されているのは、あらかじめ決められた領域内の画像のみであり、カメラ１１により生成された全画像に２次元コードの全体像が含まれている場合もある。このような場合には、「画像修正」を選択し、カメラ１１により生成された全画像を表示させて、切り出し対象の領域を変更できるようにしてもよい。
【００４１】
上記図４（１）〜（３）に示した画面表示によれば、ユーザーは読取処理に使用された画像を確認し、３種類の方法の中から最適な方法を選択することができる。よって、コードの再読取処理を、効率良くかつ的確に実行することができ、検査に速やかに移行することができる。
【００４２】
なお、図４の例では、画面３０中に選択肢を表示して方法を選択するようにしたが、「画像を読み取り」については、選択操作をなくし、２次元コードからのコード入力がなされたことをもって、その入力コードを識別コードとして認識してもよい。「実物を読み取り」についても、扉部１７のロック解除を手動で行えるならば、選択操作をなくしてもよい。
【００４３】
図５は、上記検査装置１で実行される処理の流れを示す。
最初のＳＴ１（ＳＴは「ステップ」の略である。以下も同じ。）で、基板ステージ１３への基板Ｓの搬入を受け付けると、ＳＴ２では、２次元コードのマーキング位置としてあらかじめ教示された位置にカメラ１１の視野を合わせ、撮像を行う。ＳＴ３では、ＳＴ２の撮像により生成された画像を用いて、２次元コードの読取処理を実行する。この読取に成功すると、ＳＴ４が「ＹＥＳ」となってＳＴ１１に進み、読み取ったコードを基板Ｓの識別コードとして認識する。
【００４４】
一方、読取に失敗した場合にはＳＴ５に進み、読取に使用された２次元コードの画像を選択肢とともに表示パネル１４に表示する。この表示画面において、「画像修正」が選択されると、ＳＴ６が「ＹＥＳ」となってＳＴ９に進む。
【００４５】
一方、２次元コードの表示画面において、「画像を読み取り」または「実物を読み取り」が選択された場合には、ＳＴ６が「ＮＯ」となり、２次元コードリーダ２からのコード入力に待機する。ここで、ユーザーが、２次元コードリーダ２の読取面２１を画像もしくは基板Ｓ上の２次元コードに向けて読取操作を実行し、その操作に応じて２次元コードリーダ２で実行された読取処理が成功すると、読み取られたコードが制御部１０１に入力される。これによりＳＴ７が「ＹＥＳ」となってＳＴ８に進み、入力されたコードを基板Ｓの識別コードとして認識する。
【００４６】
「画像修正」が選択されてＳＴ９に進んだ場合には、たとえば表示パネル１４に、ウィンドウ３１内の画像が拡大表示された編集画面を立ち上げて、ユーザーの修正操作を受け付ける。修正操作が完了して編集画面を閉じる操作が行われると、表示パネル１４には、修正後の画像とともに、「修正後の画像を使用」および「画像を読み取り」の２つの選択肢が表示される。ここでユーザーが「修正後の画像を使用」を選択すると、ＳＴ１０が「ＹＥＳ」となってＳＴ３に戻り、修正後の画像を用いた読取処理を実行する。この読取に成功すると、前記と同様に、ＳＴ４からＳＴ１１に進み、基板Ｓの識別コードを認識する。一方、ユーザーが「画像を読み取り」を選択し、修正後の画像に２次元コードリーダ２の読取面２１を向けて読取操作を実行した場合には、ＳＴ８に進み、２次元コードリーダ２から入力されたコードを基板Ｓの識別コードとして認識する。
【００４７】
このように、ＳＴ８またはＳＴ１１で基板Ｓの識別コードが認識された後は、ＳＴ１２に進み、検査にかかる一連の処理を実行する。すべての検査が終了すると、認識した識別コードをファイル名とする検査結果データファイルが作成され、メモリ１０６に保存される。この検査結果データファイルは、必要に応じて、図示しない外部機器にも出力される。また検査において不良箇所が検出された場合には、その不良に関するデータと識別コードとを組み合わせたデータが、外部機器に出力される。
【００４８】
この後も、検査対象の基板がある場合には、ＳＴ１３が「ＹＥＳ」となってＳＴ１に戻り、上記の手順が繰り返される。
【００４９】
なお、上記の実施例では、基板Ｓの識別コードを２次元コードにエンコードしたが、これに代えてバーコードにエンコードしてもよい。バーコードには、その内容を示す文字列が付記されることが多いので、このような文字列が記されている場合には、読取の失敗に応じて画像を表示した際に、前記した３つの選択肢の方法に加えて、キーボードからのコード入力を受け付ける方法を実行できるようにしてもよい。
【図面の簡単な説明】
【００５０】
【図１】この発明の一実施例にかかる基板外観検査装置の外観を示す正面図である。
【図２】基板外観検査装置の光学系の構成および電気構成を示すブロック図である。
【図３】２次元コードリーダの外観を示す斜視図である。
【図４】読取失敗時に表示される画面の例を示す説明図である。
【図５】基板外観検査における処理の流れを示すフローチャートである。
【符号の説明】
【００５１】
Ｓ  基板
１  基板外観検査装置
２  ２次元コードリーダ
１１  カメラ
１２  照明部
１３  基板ステージ
１４  表示パネル
１６  コネクタ
１００  コントローラ
１０１  制御部
【図１】
2008064631.tif 000003
【図２】
2008064631.tif 000004
【図３】
2008064631.tif 000005
【図５】
2008064631.tif 000006
【図４】
2008064631.tif 000007